(57)【要約】【課題】シートの表裏面双方の損傷を防止し、シートシャッターをどのような向きで工場等の入り口に設置した場合でも見栄えが悪くなることが無いとともに、シートの寿命を長くすることが可能なシートシャッターを提供すること。【解決手段】上部フレーム３とサイドフレーム４とで構成されたフレーム２と、上部フレーム３内に回動自在に備えられるとともに駆動手段７に連結された回転シャフト６と、サイドフレーム４内に左右の端部が位置する配置で、回転シャフト６に巻き取り及び巻きほどき自在に吊り下げられたシート５と、シート５の下端部分に、シート５の左右方向に間隔を置いて複数個備えた重り材１０と、を備えたシートシャッター１において、シート５の表面及び裏面に、シート５を挟んで互いに対向する位置あるいは対向することの無い位置に、上下方向に向けて、１又は複数個の接触防止具１１を備えたことを特徴とする。【選択図】図１
2015034387.tif 000002
【特許請求の範囲】
【請求項１】
上部フレーム（３）と、該上部フレーム（３）の両端近傍下側に略垂直方向に連結したサイドフレーム（４）とで構成されたフレーム（２）と、
前記上部フレーム（３）内に回動自在に備えられるとともに駆動手段（７）に連結された回転シャフト（６）と、
前記サイドフレーム（４）内に左右の端部がそれぞれ位置する配置で、前記回転シャフト（６）に巻き取り及び巻きほどき自在に吊り下げられたシート（５）と、を備えたシートシャッター（１）において、
前記シート（５）の表面及び裏面に、上下方向に向けて、１又は複数個の接触防止具（１１）を備えた、ことを特徴とするシートシャッター。
【請求項２】
前記接触防止具（１１）は、前記シート（５）を挟んで互いに対向する位置に備えたことを特徴とする請求項１に記載のシートシャッター。
【請求項３】
前記シート（５）の表面に備えた接触防止具（１１）は山型に形成した突出部（１２ａ）を備えており、前記シート（５）の裏面に備えた接触防止具（１１）は前記突出部（１２ａ）が嵌合する凹部（１２ｂ）を備えていることを特徴とする請求項１又は請求項２に記載のシートシャッター。
【請求項４】
前記接触防止具（１１）は、前記シート（５）を挟んで互いに対向することの無い位置に備えたことを特徴とする請求項１に記載のシートシャッター。
【請求項５】
前記シート（５）は、下端部分に複数個の重り材（１０）を、幅方向に間隔を置いて備えたことを特徴とする請求項１乃至請求項４のいずれかに記載のシートシャッター。
【発明の詳細な説明】
【技術分野】
【０００１】
本発明はシートシャッターに係り、より詳しくは、シートシャッターを構成するシートの損傷を防止してシートの見栄えを良くするとともに、シートの寿命を長くすることを可能にしたシートシャッターに関する。
【背景技術】
【０００２】
従来から、工場、倉庫等においては、外部からのゴミ、虫等の侵入を防止するために、また風が工場、倉庫等の内部に入り込むことを防止するために、出入り口にシートシャッターを取り付けることが行われている。そして、このシートシャッターによって出入り口を閉鎖することで、風が工場内等に入り込むことを防止するとともに更、に、ゴミ、虫等が工場内、倉庫内に入り込むことも防止可能である。
【０００３】
ここで、従来のシートシャッターについて説明すると、図１２及び図１３は従来のシートシャッター３１を説明するための図であり、図１２は、従来のシートシャッター３１を一方の面側（以下この面を「正面側」という。）から見た斜視図、図１３は、図１２におけるＣ−Ｃ線断面構造を示す図である。そして、図１２において、従来のシートシャッター３１は、工場、倉庫等の出入口に取り付けられる上部フレーム３３、及び左右のサイドフレーム３４により、ゲート型のフレーム３２が構成されている。そして、このフレーム３２により囲まれた空間にシート３５が、巻き取り及び巻きほどき自在に吊り下げられている。
【０００４】
即ち、前記上部フレーム３３内には図示しない回転シャフトが回転自在に取り付けられており、この回転シャフトには、これを回転させるための駆動手段であるモーターが連結されている。
【０００５】
また、回転シャフトには、シート３５が吊り下げられており、このシート３５は、図１３に示すように、回転シャフトに吊り下げることで、左右の端部が前記サイドフレーム３４内に位置する寸法とし、これにより、フレーム３２で囲まれた空間を閉鎖可能としている。
【０００６】
そして、このような構成において、シート３５がフレーム３２で囲まれた空間を閉鎖している状態において、モーターを駆動させて回転シャフトを一方方向に回転させると、シート３５が回転シャフトに巻き取られながら上昇していき、これにより、シート３５で閉鎖されていたフレーム３２で囲まれた空間を解放することができる。
【０００７】
一方、シート３５が上昇しており、従ってフレーム３２で囲まれた空間が解放されている状態で、前記モーターを前記と逆方向に回転させて、回転シャフトを前記と逆方向に回転させると、回転シャフトに巻き取られていたシート３５が巻きほどかれ、これにより、シート３５を下降し、フレーム３２で囲まれた空間をシート３５で閉鎖することが可能である。
【０００８】
ところで、前述のようにシートシャッターでは、シートを巻き取った状態においてはシートの表面と裏面が接触するために、巻き取りを頻繁に行う場合には、シートの表面及び裏面が損傷してしまい、見栄えが悪くなるとともに、シートの寿命も短くなってしまうという問題点が指摘されていた。
【０００９】
この点、シートの表面に上下方向に突出した接触防止部材を備えたシートシャッター用シート材が提案されており、このシート材によれば、シート材の表面が裏面と直接的に接触することが無いために、シート材の表面が損傷することを防止することが可能である。
【００１０】
即ち、図１０及び図１１は、前述の接触防止部材を備えたシート材を下側から見た状態を示した図であり、図１０は垂らしている状態のシート３５を示し、図１１は巻き取った状態のシートを示している。そして、図において３８が接触防止部材であり、この接触防止部材３８は、シート３５の一方の面（図においては正面）に、上下方向に向けて備えている。
【００１１】
そのために、図１１に示すように、シート３５を巻き取った場合には、シート３５の表面がシート３５の裏面に接触することを防止でき、それにより、シートの表面が損傷することを防止することが可能である。
【先行技術文献】
【特許文献】
【００１２】
【特許文献１】特開２０１１−２４７０８０号公報
【発明の概要】
【発明が解決しようとする課題】
【００１３】
しかしながら、前述の従来のシートシャッター用シート材では、シートの表面のみに接触防止部材を備えており、これにより、シート材の表面が裏面に接触することが無く、それにより、シート材の表面が損傷することは防止できるが、シートの裏面は接触防止部材に接触するために、シートの裏面の損傷を防止することはできない。
【００１４】
その一方、シートシャッターの取り付けに際しては、取り付ける工場、倉庫等の内部の圧力等によって、正面側を屋内側に向ける場合と、裏面側を屋内側に向ける場合があり、限定されていないために、シートの裏面が外部に向いてしまうことがあり、このような場合には、シートの表面のみの損傷を防止した前述のシートシャッター用シートの発明では、損傷して見栄えが悪くなった面が外部に向いてしまうという問題点が指摘できる。
【００１５】
また、前述の従来のシートシャッター用シート材では、シートの裏面の損傷を防止することができないために、シートの寿命を飛躍的に長くすることは困難である。
【００１６】
そこで、本発明は、シートの表裏面の双方の損傷を防止可能としたシートシャッターを提供することを課題としている。
【課題を解決するための手段】
【００１７】
本発明のシートシャッターは、
上部フレームと、該上部フレームの両端近傍下側に略垂直方向に連結したサイドフレームとで構成されたフレームと、
前記上部フレーム内に回動自在に備えられるとともに駆動手段に連結された回転シャフトと、
前記サイドフレーム内に左右の端部がそれぞれ位置する配置で、前記回転シャフトに巻き取り及び巻きほどき自在に吊り下げられたシートと、を備えたシートシャッターにおいて、
前記シートの表面及び裏面に、上下方向に向けて、１又は複数個の接触防止具を備えた、ことを特徴としている。
【発明の効果】
【００１８】
本発明のシートシャッターでは、シートの表面及び裏面に、上下方向に向けて１又は複数個の接触防止具を備えており、これにより、シートの表面及び裏面の双方が、シートを巻き取る際あるいは巻き取った際に互いに接触することを防止している。
【００１９】
そのために、本発明のシートシャッターでは、シートの表面及び裏面の損傷を防止することができ、シートシャッターをどのような向きで工場、倉庫等の入り口に設置した場合でも、見栄えが悪くなることが無いとともに、シートの寿命を長くすることが可能である。
【図面の簡単な説明】
【００２０】
【図１】本発明のシートシャッターの実施例の正面図である。
【図２】図１におけるＡ−Ａ線断面構造を示した図である。
【図３】本発明のシートシャッターの実施例におけるシートを説明するための図である。
【図４】本発明のシートシャッターの実施例におけるシートの作用を説明するための図である。
【図５】本発明のシートシャッターの実施例におけるシートの他の形態を説明するための図である。
【図６】本発明のシートシャッターの実施例におけるシートの他の形態の作用を説明するための図である。
【図７】本発明のシートシャッターの実施例の駆動機構を説明するための図である。
【図８】本発明のシートシャッターの実施例における重り材を説明するための図である。
【図９】本発明のシートシャッターの実施例における接触防止具を説明するための図である。
【図１０】従来の接触防止部材を説明するための図である。
【図１１】従来の接触防止部材を説明するための図である。
【図１２】従来のシートシャッターを説明するための図である。
【図１３】従来のシートシャッターを説明するための図である。
【発明を実施するための形態】
【００２１】
本発明のシートシャッターは、工場、倉庫等の出入口に取り付けられるフレームと、このフレームで囲まれた開口を閉鎖可能な配置でフレーム内に吊り下げられたシートを有している。
【００２２】
そして、フレームは、上部フレームと、この上部フレームの両端近傍下側に略垂直方向に連結したサイドフレームとで構成されて全体としてゲート型としており、サイドフレームは、それぞれ、対向する側に開口が形成されており、サイドフレーム内にシートの幅方向の両端部分が挿装されている。
【００２３】
また、上部フレーム内には回転シャフトが回動自在に備えられており、この回転シャフトは、モーター等の駆動手段に連結され、駆動手段を駆動することで回転シャフトを回動自在としている。
【００２４】
更に、この回転シャフトには、シートが、巻き取り及び巻きほどき自在に吊り下げられており、回転シャフトを回動して回転シャフトにシートを巻き取り、あるいは巻き取っているシートを巻きほどくことで、シートを上昇させてフレームにより囲まれた空間を開放し、シートを下降させてフレームにより囲まれた空間をシートで閉鎖することを可能にしている。
【００２５】
そして、シートの表面及び裏面には、上下方向に向けて、１又は複数個の接触防止具が備えられており、これにより、シートの表面及び裏面が互いに直接的に接触することを防止可能としている。
【００２６】
ここで、接触防止具は、シートを挟んで互いに対向する位置に備えるとよく、これにより、シートの表面及び裏面を確実に非接触にすることが可能である。
【００２７】
またそのほか、接触防止具を、シートを挟んで互いに対向することの無い位置に備えてもよく、かかる場合には、シートを巻き上げた場合には巻き上げたシートが大きくなることを防止することができるとともに、接触防止具に対するシートの表面及び裏面の接触圧力を少なくすることが可能である。
【００２８】
また、シートの表面に備えた接触防止具には、山型に形成した突出部を備えるとともに、シートの裏面に備えた接触防止具には、前記突出部が嵌合する凹部を備えるとよく、これにより、シートを挟んで互いに対向する位置に接触防止具を備えた場合には、シートを巻き取る際あるいは巻き取った際に、シートの表面に備えた接触防止具の突出部を、シートの裏面に備えた接触防止具の凹部に嵌合させ、互いの位置を固定することができるとともに、巻き上げたシートが大きくなることを防止することもできる。
【００２９】
更に、シートの下端部分に重り材を備えるとともに、複数個の重り材を、シートの幅方向に間隔を置いて備えるとよく、これにより、シートを安定させることができるとともに、シートの下端部分に何らかの重量物が衝突してシートが変形した場合でも、容易にシート５を復元することが可能である。
【実施例１】
【００３０】
本発明のシートシャッターの実施例について図面を参照して説明すると、図１は本実施例のシートシャッターの正面図であり、図において１が本実施例のシートシャッターである。また、図２は図１におけるＡ−Ａ線断面構造を示す図である。
【００３１】
そして、本実施例のシートシャッター１では、上部フレームとサイドフレームとで構成されるゲート型のフレームを有しており、このフレーム内にシートが吊り下げられている。即ち、図１において３が上部フレームであり、本実施例において、前記上部フレーム３の両端近傍の下側には、略垂直方向にサイドフレーム４が連結されている。
【００３２】
また、図２において、前記サイドフレーム４は、横断平面形状を略Ｌ字形状としており、正面側の側壁４０１と、左右側の側壁４０２とを有しており、側方側の開口が互いに対向する配置で前記上部フレーム３に連結されている。そしてそれにより、正面視野において、上部フレーム３と左右のサイドフレーム４とで、ゲート型のフレーム２が構成されており、このフレーム２を、工場、倉庫等の出入り口に取り付けることとしている。即ち、本実施例においては、前記サイドフレーム４内には取付部４０３が収容されており、この取付部４０３を、工場、倉庫等における柱、壁等の取付箇所１７に取り付けることで、フレーム４の位置を固定するとともに、シートシャッター１を取り付けることとしている。なお、前述したように、シートシャッター１の取り付けに際しては、取り付ける工場、倉庫等の内部の圧力等によって、正面側を屋内側に向ける場合と、裏面側を屋内側に向ける場合があり、限定されてはいない。
【００３３】
次に、前記フレーム２内には回転シャフトが幅方向に向けて備えられ、この回転シャフトに、フレーム２で囲まれた空間を閉鎖可能な配置で、シート５が吊り下げられており、このシート５を上昇あるいは下降することで、工場、倉庫等の出入り口を開閉自在としている。
【００３４】
ここで、前記シート５を上昇あるいは下降させるための機構について図７を参照して説明すると、図７は前記上部フレーム３内の構造を示す概略図であり、図７において前記上部フレーム３内には、左右方向に向けて、回転シャフト６が回動自在に配設されており、この回転シャフト６は、駆動手段としてのモーター７の回転軸に連結されており、これにより、モーター７を駆動することで回転シャフト６を回動可能としている。なお、本実施例においては、正面視野に置いて前記上部フレーム３の左側にモーター室３０１を配置して、このモーター室３０１内にモーター７を備えている。
【００３５】
そして、前記回転シャフト６にはシート５が吊り下げられているとともに、シート５の上端部分は回転シャフト６に固着されている。そのために、前記モーター７を駆動して回転シャフト６を一方方向に回転させると、前記シート５は回転シャフト６に巻き取られていきその下端部分が上昇し、及び、前記シート５が回転シャフト６に巻き取られている状態で前記モーター７を前記と逆方向に回転させると、回転シャフト６に巻き取られていたシート５は巻きほどかれ、これによりシート５を下降させることが可能となる。従って、本実施例のシートシャッター１は、従来のシートシャッターと同様に、モーター７の駆動によってシート５を上昇あるいは下降させて、工場、倉庫等の出入り口を開閉可能としている。
【００３６】
次に、図２において１３は、シート５の上昇及び下降を正確に行うためのガイドであり、また、図２において１５は、前記ガイド１３に係合する係合部である。即ち、本実施例においては、前記サイドフレーム４内に、ガイド溝１４が内部に形成された長尺のガイド１３が、サイドフレーム４の上下方向に向けて備えられており、一方、前記シート５の左右側の両端部分には、前記ガイド溝１４に係合する係合部１５が備えられており、係合部１５を前記ガイド溝１４に係合することで、シート５の巻き取り及び巻きほどきの際に、シート５の位置を維持しながら行うことを可能にしている。
【００３７】
なお、本実施例において、前記ガイド溝１４は、上下方向に連続した溝にしているとともに、シート１５側には、シート１５が貫通する貫通溝が形成されている。一方、前記シート１５の左右側の端部に備えた係合部１５は、それぞれが前記ガイド溝１４内に嵌合可能な小さいブロック状としており、この係合部１５を、シート１５の左右側の端部に、上下方向に多数個取り付けている。
【００３８】
また、本実施例においては、サイドフレーム４に基端部を固定したスプリング１６の先端側を前記ガイド１３に取り付けて、これにより、前記ガイド１３を介して、常に前記シート５を左右側に付勢してシート５にテンションを与えており、また、例えばシート５に何らかの衝撃が加わってシート５が歪んでしまった場合でも、元の位置に復帰することを可能にしている。
【００３９】
次に、図１において１１は接触防止具である。即ち、本実施例のシートシャッター１では、前記シート５の表裏面に、上下方向に向けて２本の接触防止具１１を、熱溶着により備えており、この接触防止具１１の存在により、シート５を巻き上げたときに、シート５の表裏面が互いに接触して損傷してしまうことを防止している。
【００４０】
ここで、前記接触防止具１１の作用について説明すると、図３、図４は前記シート５を下側から見た状態を示しており、図３は前記シート５を巻きほどいた状態を示しており、図４は、シート５を巻き取った状態を示している。そして、図に示されるように、本実施例においては、シート５の表面及び裏面のそれぞれの３か所に接触防止具１１を備えるとともに、シート５の表面に備えた接触防止具１１ａとシート５の裏面に備えた接触防止具１１ｂとを、シート５を挟んで互いに対向する位置に備えている。そのために、シート５を巻き上げたときには、図４に示すように、接触防止具１１どうしが接触し、シート５の表面及び裏面が互いに直接的に接触し、あるいは接触防止具１１と接触することが無く、従ってシート５の表面のみならず裏面も損傷を防止することができ、シートシャッターをどのような向きで工場、倉庫等の入り口に設置した場合でも、見栄えが悪くなることが無いとともに、シートの寿命を長くすることが可能である。
【００４１】
なお、本発明において前記接触防止具１１の構造は特に限定されることは無く、シート５の表面及び裏面に上下方向に向けて突出して備えることができればいずれでもよく、また、素材に関しても、樹脂製、ラバー製特に限定されず、更に備える方法も溶着、接着、縫製等いずれでもよいが、例えば、図９に示す形状にすると良い。
【００４２】
即ち、図９は接触防止具１１の一形態の構造を説明するための断面図であり、接触防止具１１の構造を長手方向に見た場合の状態を説明するための断面図であり、図において１１が接触防止具、５がシートである。そして、図９に示す接触防止具１１では、シート５の表面に備えられる接触防止具１１ａでは、長手方向に向いて見た場合の中央部分を山型に隆起させて突出部１２ａを形成するとともにその突出部１２ａの左右側は平坦状にしている。一方、シート５の裏面に備えた接触防止具１１ｂでは、長手方向に向いて見た場合の中央部分に突出部を形成するとともに、その突出部の左右側は平坦にし、更に、突出部には、前記突出部１２ａが嵌合する凹部１２ｂが形成されている。
【００４３】
そのために、図９に示した接触防止具１１では、前述のように、シート５の表面に備えた接触防止具１１ａとシート５の裏面に備えた接触防止具１１ｂを、シート５を挟んで互いに対向する位置に備えた場合には、シートを巻き取る際あるいは巻き取った際に、シート５の表面に備えた接触防止具１１ａの突出部１２ａを、シート５の裏面に備えた接触防止具１１ｂの凹部１２ｂに嵌合させることができるので、接触防止具１１ａ、１１ｂの互いの位置を固定することができるとともに、巻き上げたシート５が大きくなることを防止することもできる。
【００４４】
なお、図５及び図６は前記シート５の変形であり、図５及び図６におけるシート５は、前記接触防止具１１の取り付け位置を異なった箇所としている。即ち、前述のシート５では、シートの表面に備えた接触防止具１１ａとシート５の裏面に備えた接触防止具１１ｂを、前記シート５を挟んで互いに対向する位置に備えた場合を示したが、図５及び図６においては、シートの表面に備えた接触防止具１１ａとシート５の裏面に備えた接触防止具１１ｂは、シート５を挟んで互いに対向することの無い位置に備えており、これにより、シート５を巻き上げた際に巻いた部分の径が大きくなることを防止している。
【００４５】
即ち、前記シート５を挟んで互いに対向する位置に接触防止具１１を備えた場合には、巻き上げた際には接触防止具１１どうしが接触するために、シートの表面と裏面間には２個分の接触防止具１１の空間が形成され、それにより巻き上げたシートの全体の径が大きくなってしまうが、前記シート５を挟んで互いに対向することの無い位置に接触防止具１１を備えた図５及び図６においては、巻き上げた際にはシートの表面と裏面間には１個分の接触防止具１１の空間のみが形成されるため、巻き上げたシートの全体の径が大きくなることを防止できる。またこのとき、シート５の裏面はシート５の表面に備えた接触防止具１１と直接的に接触し、シート５の表面はシート５の裏面に備えた接触防止具１１と直接的に接触するが、シート５の裏面がシート５の表面に備えた接触防止具１１と直接的に接触する際にはシートの裏面に備えた接触防止具１１の存在が障害になり、及び、シート５の表面がシート５の裏面に備えた接触防止具１１と直接的に接触する際にはシートの表面に備えた接触防止具１１の存在が障害になるために、シートの裏面がシートの表面に備えた接触防止具に強い圧力で接触することは無く、また、シートの表面がシートの裏面に備えた接触防止具に強い圧力で接触することは無く、従って、前述の従来のシートシャッター用シートに比較するとシートの損傷を防止することが可能である。
【００４６】
次に、図８は、前記シート５の下方部分を示した一部断面図であり、図において１０は重り材である。即ち、本実施例における前記シート５では、下端部分に袋状の重り材収容部９を形成しており、この重り材収容部９内に重り材１０を収容している。
【００４７】
また、本実施例における前記重り材１０は、金属製のパイプ状としているとともに、前記重り材収容部９の左右方向の長さよりも短くし、具体的には、前記重り材収容部９内に、左右方向に並べて複数個を収容可能な長さとしており、本実施例においては図８に示すように、８個の重り材１０を、前記重り材収容部９内に、左右方向に、間隔を置きながら収容している。
【００４８】
そのために、本実施例のシートシャッター１では、シート５を下降させて工場、倉庫等の出入り口を閉鎖したときに、重り材１０の存在によって、シート５の位置を安定させることができる。
【００４９】
また、本実施例のシートシャッター１では、複数個の重り材を、重り材収容部９内に、間隔を置きながら、左右方向に並べて収容しているため、１本の重り材を重り材収容部内に収容した場合と異なり、例えばシート５の下端部分に何らかの重量物が衝突して、それによりシート５が変形した場合でも、重り材１０が曲がることが無く、従ってシート５を復元することが容易である。
【００５０】
次に、本実施例のシートシャッター１の作用について説明すると、本実施例のシートシャッター１では、シート５の表面及び裏面のそれぞれの３か所に接触防止具１１を備えているために、この接触防止具１１の存在により、シート５を巻き取ったときにシート５の表面及び裏面が、互いに直接的に接触し、あるいは接触防止具１１と接触することが無く、従ってシート５の表面及び裏面の損傷を防止することができ、シートシャッターをどのような向きで工場、倉庫等の入り口に設置した場合でも、見栄えが悪くなることが無いとともに、シートの寿命を長くすることが可能である。
【００５１】
また、本実施例のシートシャッター１では、シート５の下端部分に、複数個の金属製のパイプ状の重り材１０を、左右方向に間隔を置きながら備えているために、シート５を下降させて工場、倉庫等の出入り口を閉鎖したときにシート５の位置を安定させることができるとともに、シート５の下端部分に何らかの重量物が衝突することでシート５が変形した場合でも、容易にシート５を復元することが可能である。
【００５２】
なお、前述の説明では、前記シート５を上昇あるいは下降させるための機構として、モーターを駆動することで回動する回転シャフトにシートを吊り下げた形態を説明したが、本発明のシートシャッターでは、必ずしもこの形態の機構に限定されるものではない。
【００５３】
即ち、シートシャッターにおいてシートを上昇あるいは下降させる機構としては、回転シャフトにシートを吊り下げ、回転シャフトを回動することでシートを巻き取りあるいは巻き取ったシートを巻きほどく機構の他に、牽引部材としてのベルトでシートの表裏を下部から架け渡し、ベルトを上昇あるいは下降させることで、ベルトで支持しているシートを上昇させ、あるいは下降させる方法が存在するが（特開２０００−３３７０５６号公報、特開２０１０−２４８７１７号公報参照）、本発明のシートシャッター１では、このような牽引部材としてのベルトによってシートを上昇あるいは下降させる機構のシートシャッターでも良い。
【産業上の利用可能性】
【００５４】
本発明のシートシャッターでは、シートを巻き取り及び巻きほどくことで工場等の入り口を開閉するシートシャッターにおいて、巻き取った際にシートの表面及び裏面の双方を損傷から守ることを可能としているため、シートを巻き取り及び巻きほどくことで開閉する形態のシートシャッターの全般に適用可能である。
【符号の説明】
【００５５】
１    シートシャッター
２    フレーム
３    上部フレーム
３０１    モーター室
４    サイドフレーム
５    シート
６    回転シャフト
７    モーター
９    重り材収容部
１０    重り材
１１    接触防止具
１１ａ    シートの表面に備えた接触防止具
１１ｂ    シートの裏面に備えた接触防止具
１２ａ    突出部
１２ｂ    凹部
１３    ガイド
１４    ガイド溝
１５    係合部
１６    スプリング
１７    工場、倉庫の柱、壁等
【図１】
2015034387.tif 000003
【図２】
2015034387.tif 000004
【図３】
2015034387.tif 000005
【図４】
2015034387.tif 000006
【図５】
2015034387.tif 000007
【図６】
2015034387.tif 000008
【図７】
2015034387.tif 000009
【図８】
2015034387.tif 000010
【図９】
2015034387.tif 000011
【図１０】
2015034387.tif 000012
【図１１】
2015034387.tif 000013
【図１２】
2015034387.tif 000014
【図１３】
2015034387.tif 000015